(57)【要約】【課題】多機種の監視カメラあるいは、防犯カメラ等の監視窓部の汚れを防止するユニット式の監視カメラ用窓部汚れ防止装置を提供する。【解決手段】多機種の監視カメラあるいは、防犯カメラ等に後付け装着もできるように設けた監視カメラ用窓部汚れ防止装置９０は、監視カメラあるいは、防犯カメラ等のカメラ全体を覆う金属やプラスチック等の筐体で覆われたカメラ内蔵ケース５０の監視面窓部であるカメラ内蔵ケース窓部５１の前面に取付けて汚れを防止する汚れ防止フイルム部３０と、汚れた透明フィルム１２を監視窓面に沿ってコマ送りするモータ駆動部２０とを設けた。該監視カメラ用窓部汚れ防止装置９０とカメラ内蔵ケース５０との取付け空間を密閉状態にするパッキン３３を設けることでカメラ内蔵ケース窓部５１は外気より遮断される構成であることを特徴とする。【選択図】        図１
2005012737.tif 000002
【特許請求の範囲】
【請求項１】
監視カメラあるいは、防犯カメラ等の監視窓部の汚れを透明フィルムによって防止するユニット式の監視カメラ用窓部汚れ防止装置であって、前記監視カメラ用窓部汚れ防止装置（９０）は、多機種の監視カメラあるいは、防犯カメラ等のカメラ内蔵ケース窓部（５１）の監視窓部前面に取付けて監視映像の画質低下を防止する汚れ防止フイルム部（３０）と、汚れ防止フイルム部（３０）の透明フィルム（１２）を監視窓面に沿ってコマ送りするモータ駆動部（２０）とを備えたことを特徴とする監視カメラ用窓部汚れ防止装置。
【請求項２】
前記記載の監視カメラあるいは、防犯カメラ等の監視窓部の汚れを透明フィルムによって防止するユニット式の監視カメラ用窓部汚れ防止装置であって、該監視カメラ用窓部汚れ防止装置（９０）は、多機種の監視カメラあるいは、防犯カメラ等のカメラ内蔵ケース窓部（５１）の監視窓部前面を保護するためカメラ内蔵ケース（５０）に後付け装着もできるように、メインフレーム（１）に取付けベース（３１）を設け、カメラ内蔵ケース（５０）に設けた取付けベース（３１）は、１個以上の取付け支柱（３２）を用いてカメラ内蔵ケース（５０）に固着して、カメラ内蔵ケース窓部（５１）と取付けベース（３１）の取り付け空間を外気より遮断して密閉状態にするため押圧するパッキン（３３）とを備えたことを特徴とする請求項１記載の監視カメラ用窓部汚れ防止装置。
【請求項３】
前記記載の監視カメラあるいは、防犯カメラ等の監視窓部の汚れを透明フィルムによって防止するユニット式の監視カメラ用窓部汚れ防止装置であって、前記監視カメラ用窓部汚れ防止装置（９０）に設けた汚れ防止フィルム部（３０）は、カメラ内蔵ケース窓部（５１）の監視窓部前面に沿って覆ってスライドする形状にした汚れを防止する透明フィルム（１２）と、該透明フィルム（１２）を両面から挟み動作時に気密性と摺動性を円滑にする摺動シート（２７）と、装填した透明フィルム（１２）を送り出す側の自由軸（２６）をメインフレーム（１）に設け、透明フィルム（１２）を巻き上げる側の駆動軸（２５）を、モータ軸とカップリング（２４）して設け、カメラ内蔵ケース窓部（５１）の監視窓部前面に沿った透明フィルム（１２）を遮蔽しないように窓を開けた形状としたフィルムカートリッジ（１１）を保護する着脱自在で窓を開けたフィルムカバー（１０）とを備えたことを特徴とする請求項１と２記載の監視カメラ用窓部汚れ防止装置。
【請求項４】
前記記載の監視カメラあるいは、防犯カメラ等の監視窓部の汚れを透明フィルムによって防止するユニット式の監視カメラ用窓部汚れ防止装置であって、該監視カメラ用窓部汚れ防止装置（９０）に設けた汚れ防止フィルム部（３０）は、透明フィルム（１２）の交換を簡単にする交換用として、アルミニウムあるいはプラスチックで形成したフィルムカートリッジ（１１０）を設け、フィルムカートリッジ（１１０）は、送り出す側の透明フィルム（１２）を装填する筒を設け筒の上段と下段に自由軸（２６０）と、巻き上げ側の透明フィルム（１２）の巻きはじめを固定する筒を設け筒の上段に駆動軸（２５３）と、筒の下段に駆動軸（２５４）とを設け、フィルムカートリッジ（１１０）の上下段の自由軸（２６０）と、上段の駆動軸（２５３）と、下段の駆動軸（２５４）とを嵌合挿脱する自由軸（２６０）用として上下段に嵌合挿脱孔（２６１）と、上段の駆動軸（２５３）用として嵌合挿脱孔（２５２）と、下段の駆動軸（２５４）用として嵌合挿脱孔（２５１）とを設け、下段の駆動軸（２５４）は、駆動軸（２５０）と嵌合して回転を伝達して、モータ軸とカップリング（２４）して設けた駆動軸（２５０）とを備えたことを特徴とする請求項１ないし２記載の監視カメラ用窓部汚れ防止装置。
【請求項５】
前記記載の監視カメラあるいは、防犯カメラ等の監視窓部の汚れを透明フィルムによって防止するユニット式の監視カメラ用窓部汚れ防止装置であって、該監視カメラ用窓部汚れ防止装置（９０）に設けた汚れ防止フィルム部（３０）は、カメラ内蔵ケース窓部（５１）の監視窓部前面に沿って覆ってスライドする形状にした汚れを防止する透明フィルム（１２）と、該透明フィルム（１２）を両面から挟み動作時に気密性と摺動性を円滑にする摺動シート（２７）と、装填した透明フィルム（１２）を送り出す側の自由軸（２７１）をメインフレーム（１）に設け、透明フィルム（１２）を巻き上げる側の駆動軸（２５５）は、該駆動軸（２５５）の先端にフィルムカートリッジ（１２０）を保持するローレットつまみ（２５６）を螺合して設け、駆動軸（２５５）は、モータ軸とカップリング（２４）して設け、フィルムカートリッジ（１２０）と、透明フィイルム（１２）とを保護する保護扉（１７０）を設け、該保護扉（１７０）は、カメラ内蔵ケース窓部（５１）の監視窓部前面に沿った透明フィルム（１２）を遮蔽しないように窓を開けた形状と、保持して開閉自在とする蝶番（１１１）を設け、カメラ内蔵ケース窓部（５１）の前面を覆ってスライドする透明フィルム（１２）のテンションを和らげるためフィルム押え軸（１３）を保護扉（１７０）の内側左右に備えたことを特徴とする請求項１ないし２記載の監視カメラ用窓部汚れ防止装置。
【請求項６】
前記記載の監視カメラあるいは、防犯カメラ等の監視窓部の汚れを透明フィルムによって防止するユニット式の監視カメラ用窓部汚れ防止装置であって、前記監視カメラ用窓部汚れ防止装置（９０）の汚れ防止フィルム部（３０）のフィルムカートリッジ（１２０）は、透明フィルム（１２）を送り出す側として自由軸（２７１）に挿入する中空の筒を設け、自由軸（２７１）の中空の筒に透明フィルム（１２）を装填して設け、フィルムカートリッジ（１２０）の一方の巻き上げる側は、駆動軸（２５５）に挿入できる中空の筒を設け、巻き上げる該駆動軸（２５５）の中空の筒は、送り出す側の透明フィルム（１２）の先端を固定したことを備えたことを特徴とする請求項１ないし２と５記載の監視カメラ用窓部汚れ防止装置。
【請求項７】
前記記載の監視カメラあるいは、防犯カメラ等の監視窓部の汚れを透明フィルムによって防止するユニット式の監視カメラ用窓部汚れ防止装置であって、前記監視カメラ用窓部汚れ防止装置（９０）のモータ駆動部（２０）は、駆動軸（２５、２５０、２５５）を回転させるモータ（２３）と、このモータ（２３）を制御する制御部（２２）と、モータ軸と駆動軸（２５、２５０、２５５）の継手となるカップリング（２４）とを設け、透明フィルム（１２）の汚れを発見すると制御部（２２）に操作命令を行えるように設けた有線遠隔操作部（４２）と、あるいは、無線遠隔操作部（４１）と、操作命令を行いモータ（２３）を駆動させ定量的なコマ送りによる汚れた透明フィルム（１２）を巻き上げる駆動軸（２５、２５０、２５５）と、制御部（２２）と接続した外部引込電源用のコネクタ（２１）とを備えたことを特徴とする請求項１ないし２と５記載の監視カメラ用窓部汚れ防止装置。
【請求項８】
前記記載の監視カメラあるいは、防犯カメラ等の監視窓部の汚れを透明フィルムによって防止するユニット式の監視カメラ用窓部汚れ防止装置であって、前記監視カメラ用窓部汚れ防止装置（９０）に用いたフィルムカートリッジ（１１、１１０、１２０）に装填した透明フィルム（１２）は、カメラ内蔵ケース窓部（５１）の監視窓部前面を１画面として１画面を１コマとして１コマ分以上を装填して設け、透明フィルム（１２）の終了する数コマ前に警告を示す記号あるいは文字や画を記載することを備えたことを特徴とする請求項１ないし７記載の監視カメラ用窓部汚れ防止装置。
【請求項９】
前記記載の監視カメラあるいは、防犯カメラ等の監視窓部の汚れを透明フィルムによって防止するユニット式の監視カメラ用窓部汚れ防止装置であって、監視カメラ用窓部汚れ防止装置（９０）に設けた汚れ防止フィルム部（３０）に用いたフィルムカートリッジ（１１、１１０、１２０）に装填した透明フィルム（１２）は、該透明フィルム（１２）の終了する数コマ前に、有線遠隔操作部（４２）あるいは、無線遠隔操作部（４１）による操作命令の都度音声で警告を伝えることを備えたことを特徴とする請求項１ないし８記載の監視カメラ用窓部汚れ防止装置。
【発明の詳細な説明】
【０００１】
【発明の属する技術分野】
本発明は、監視カメラあるいは、防犯カメラ等では金属やプラスチック等の筐体で覆いカメラレンズの監視面窓部の保護には、透明なガラスやプラスチック等が用いられている。詳しくは、監視カメラあるいは、防犯カメラレンズ等の監視面窓部の透明なガラスやプラスチック等の汚れを防止する監視カメラ用窓部汚れ防止装置に関する。
【０００２】
【従来の技術】
従来から監視カメラあるいは、防犯カメラ等の監視用窓部の透明なガラスやプラスチック等の部分は外気に触れ汚れる。汚れた部分を落とすために高所であっても人が拭き取っている。汚れ防止のためワイパー式と、それ以外のカメラ内部を温風循環を行う等の監視カメラあるいは、防犯カメラ等が開示されている。
【０００３】
【特許文献１】
特開平６−３０３０４７１は、監視カメラに設けたワイパーでレンズ保護ガラスの汚れを除去して実現しようとしている。
【０００４】
【特許文献２】
特開２００１−１４７４８４は、監視カメラに設けたワイパーのアームがカメラの撮像範囲に入ることを防止して実現しようとしている。
【０００５】
【特許文献３】
特開２００３−１５２１３は、ワイパーを使用しないでカメラレンズの視界を保つため、カメラの筐体内を温風循環させて屋外式カメラ用フードを実現しようとしている。
【０００６】
【発明が解決しようとする課題】
上記記載のように、従来技術では、監視カメラあるいは、防犯カメラ等の監視窓部の汚れを除去するためには、場所を問わず高所であっても手を掛けて除去する以外方法がなかった。設置された場所によっては、除去するために交通規制まで行う必要があった。このような汚れ除去の費用は高額である。監視窓部の汚れを除去する装置の設けられていない監視カメラ装置あるいは、防犯カメラ装置に後から簡単に取り付けられるユニット式の装置は存在しない。
【０００７】
本発明は、以上のような従来の欠点に鑑み、監視カメラあるいは、防犯カメラ等の監視窓部の汚れを除去するためには、場所を問わず高所であっても費用を掛けないで除去できること、設置された場所による交通規制までも行う必要がないこと、監視窓部の汚れを除去できる装置をユニット式とすることで監視窓部の汚れを除去する装置の設けられていない監視カメラあるいは、防犯カメラ等に後から取り付けられること、汚れ除去の操作はモータ駆動として取扱が簡単であること、遠隔操作部を込みこむことで遠地から監視窓部の汚れを除去できること、汚れを除去するフィルム部分をカートリッジ式とすることでメンテナンスが簡単であること、防水と耐熱等を施された構成の監視カメラ用窓部汚れ防止装置を提供することを目的としている。
【０００８】
【発明を解決するための手段】
即ち、上記目的を達成するためになされた請求項１記載の本発明では、監視カメラあるいは、防犯カメラ等の監視窓部の汚れを透明フィルムによって防止するユニット式の監視カメラ用窓部汚れ防止装置であって、前記監視カメラ用窓部汚れ防止装置９０は、多機種の監視カメラあるいは、防犯カメラ等のカメラ内蔵ケース窓部５１の監視窓部前面に取付けて監視映像の画質低下を防止する汚れ防止フイルム部３０と、この汚れ防止フイルム部３０の透明フィルム１２を監視窓部に沿ってコマ送りするモータ駆動部２０とを備えた構成の監視カメラ用窓部汚れ防止装置である。
【０００９】第３の実施の形態より
また、請求項２記載の本発明では、請求項１記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０は、多機種の監視カメラあるいは、防犯カメラ等のカメラ内蔵ケース窓部５１の監視窓部前面を保護するためカメラ内蔵ケース５０に後付け装着もできるように、メインフレーム１と固着した取付けベース３１を設けた。カメラ内蔵ケース５０に固着する取付けベース３１は、複数の取付け支柱３２を用いてカメラ内蔵ケース５０に固着する。カメラ内蔵ケース窓部５１と取付けベース３１の取り付け空間を外気より遮断して密閉状態にするため押圧するパッキン３３とを備えた構成の監視カメラ用窓部汚れ防止装置である。
【００１０】
また、請求項３記載の発明では、請求項１と２記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０に設けた汚れ防止フィルム部３０は、カメラ内蔵ケース窓部５１の監視窓部前面に沿って覆ってスライドする形状にした汚れを防止する透明フィルム１２と、該透明フィルム１２を両面から挟み動作時に気密性と摺動性を円滑にする摺動シート２７と、装填した透明フィルム１２を送り出す側の自由軸２６と、透明フィルム１２を巻き上げる側の駆動軸２５と、駆動軸２５は、モータ軸とカップリング２４して設けた。カメラ内蔵ケース窓部５１の監視窓部前面に沿った透明フィルム１２を遮蔽しないように窓を開けた形状としたフィルムカートリッジ１１を保護する着脱自在で窓を開けたフィルムカバー１０とを備えた構成の監視カメラ用窓部汚れ防止装置である。
【００１１】
また、請求項４記載の発明では、請求項１ないし２記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０に設けた汚れ防止フィルム部３０は、透明フィルム１２の交換を簡単にする交換用として、アルミニウムあるいはプラスチックで形成したフィルムカートリッジ１１０を設けた。該フィルムカートリッジ１１０は、送り出す側の透明フィルム１２を装填する筒を設け筒の上段と下段に自由軸２６０と、巻き上げ側の透明フィルム１２の巻きはじめを固定する筒を設け筒の上段に駆動軸２５３と、筒の下段に駆動軸２５４とを設けた。フィルムカートリッジ１１０の上下段の自由軸２６０と、上段の駆動軸２５３と、下段の駆動軸２５４とを嵌合挿脱する自由軸２６０用として上下段に嵌合挿脱孔２６１と、上段の駆動軸２５３用として嵌合挿脱孔２５２と、下段の駆動軸２５４用として嵌合挿脱孔２５１とを設けた。下段の駆動軸２５４は、駆動軸２５０と嵌合して回転を伝達する。モータ軸とカップリング２４して設けた駆動軸２５０とを備えた構成の監視カメラ用窓部汚れ防止装置である。
【００１２】
また、請求項５記載の発明では、請求項１と２記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０に設けた汚れ防止フィルム部３０は、カメラ内蔵ケース窓部５１の監視窓部前面に沿って覆ってスライドする形状にした汚れを防止する透明フィルム１２と、該透明フィルム１２を両面から挟み動作時に気密性と摺動性を円滑にする摺動シート２７と、装填した透明フィルム１２を送り出す側の自由軸２７１をメインフレーム１に設けた。透明フィルム１２を巻き上げる側の駆動軸２５５は、該駆動軸２５５の先端にフィルムカートリッジ１２０を保持するローレットつまみ２５６を螺合して設けた。駆動軸２５５は、モータ軸とカップリング２４して設けた。フィルムカートリッジ１２０と、透明フィイルム１２とを保護する保護扉１７０を設けた。該保護扉１７０は、カメラ内蔵ケース窓部５１の監視窓部前面に沿った透明フィルム１２を遮蔽しないように窓を開けた形状と、保持して開閉自在とする蝶番１１１を設けた。カメラ内蔵ケース窓部５１の前面を覆ってスライドする透明フィルム１２のテンションを和らげるためフィルム押え軸１３を保護扉１７０の内側左右に備えた構成の監視カメラ用窓部汚れ防止装置である。
【００１３】
また、請求項６記載の発明では、請求項１ないし２と５記載の監視カメラあるいは、防犯カメラ等の監視窓部の汚れを透明フィルムによって防止するユニット式の監視カメラ用窓部汚れ防止装置であって、該監視カメラ用窓部汚れ防止装置９０の汚れ防止フィルム部３０のフィルムカートリッジ１２０は、透明フィルム１２を送り出す側として自由軸２７１に挿入する中空の筒を設けた。該自由軸２７１の中空の筒に透明フィルム１２を装填して設けた。フィルムカートリッジ１２０の一方の巻き上げる側は、駆動軸２５５に挿入できる中空の筒を設け、巻き上げる該駆動軸２５５の中空の筒は、送り出す側の透明フィルム１２の先端を固定したことを備えた構成の監視カメラ用窓部汚れ防止装置である。
【００１４】
また、請求項７記載の発明では、請求項１ないし６記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０のモータ駆動部２０は、駆動軸２５、２５０、２５５を回転させるモータ２３と、このモータ２３を制御する制御部２２と、モータ軸と駆動軸２５、２５０、２５５の継手となるカップリング２４とを設けた。透明フィルム１２の汚れを発見すると制御部２２に操作命令を行えるように設けた有線遠隔操作部４２あるいは、無線遠隔操作部４１と、操作命令を行いモータ２３を駆動させ定量的なコマ送りによる汚れた透明フィルム１２を巻き上げる駆動軸２５、２５０、２５５と、制御部２２と接続した外部引込電源用のコネクタ２１とを備えた構成の監視カメラ用窓部汚れ防止装置である。
【００１５】
また、請求項８記載の発明では、請求項１ないし７記載の監視カメラあるいは、防犯カメラ等の監視窓部の汚れを透明フィルムによって防止するユニット式の監視カメラ用窓部汚れ防止装置であって、前記監視カメラ用窓部汚れ防止装置９０に用いたフィルムカートリッジ１１、１１０、１２０に装填した透明フィルム１２は、カメラ内蔵ケース窓部５１の監視窓部前面を１画面として１画面を１コマとして複数コマ分を装填して設けた。透明フィルム１２の終了する数コマ前に警告を示す記号あるいは文字や画を記載することを備えた構成の監視カメラ用窓部汚れ防止装置である。
【００１６】
また、請求項９記載の発明では、請求項１ないし８記載の監視カメラあるいは、防犯カメラ等の監視窓部の汚れを透明フィルムによって防止するユニット式の監視カメラ用窓部汚れ防止装置であって、監視カメラ用窓部汚れ防止装置９０に設けた汚れ防止フィルム部３０に用いたフィルムカートリッジ１１、１１０、１２０に装填した透明フィルム１２は、該透明フィルム１２の終了する数コマ前に、有線遠隔操作部４２あるいは、無線遠隔操作部４１等による操作命令の都度音声で警告を伝えることを備えた構成の監視カメラ用窓部汚れ防止装置である。
【００１７】
【発明の実施の形態】
以下、図面に示す実施の形態により、本発明を詳細に説明する。
図１ないし図４の本発明の第１の実施の形態において、図１は、本発明の監視カメラ用窓部汚れ防止装置の汚れ防止フィルム部平面の断面図である。
監視カメラあるいは、防犯カメラ等の監視窓部の汚れを透明フィルムによって防止するユニット式の監視カメラ用窓部汚れ防止装置であって、監視カメラ用窓部汚れ防止装置９０は、多機種の監視カメラあるいは、防犯カメラ等に後付け装着もできるように設けた。監視カメラ用窓部汚れ防止装置９０に設けた汚れ防止フィルム部３０は、監視カメラあるいは、防犯カメラ等のカメラ全体を覆う金属やプラスチック等の筐体で覆われたカメラ内蔵ケース５０の監視面窓部であるカメラ内蔵ケース窓部５１の前面に汚れ防止フィルム部３０を取り付けて設けた構成である。カメラ内蔵ケース窓部５１の前面と汚れ防止フィルム部３０との空間を密閉状態に取付けるためパッキン３３を設けることでカメラ内蔵ケース窓部５１は外気より遮断される。
【００１８】
汚れ防止フィルム部３０は、メインフレーム１と固着した取付けベース３１と、取付けベース３１をカメラ内蔵ケース５０に取付ける取付け支柱３２と、カメラ内蔵ケース窓部５１の周囲を押圧するパッキン３３と、カメラ内蔵ケース窓部５１の前面に沿って透明フィルム１２を覆って設ける。カメラ内蔵ケース窓部５１前面に沿って透明フィルム１２を覆ったのでカメラ内蔵ケース窓部５１前面に汚れは付着しない。送り出す側のフィルムカートリッジ１１の透明フィルム１２を、自由軸２６に装填して、透明フィルム１２の送り出す側の先端を巻き取る側のフィルムカートリッジ１１の駆動軸２５に巻きつけ固定して設ける。透明フィルム１２の表面が汚れた場合は、その都度操作により駆動軸２５を回転させ定量的に汚れた透明フィイルム１２を巻き取ることで監視面窓部であるカメラ内蔵ケース窓部５１前面の汚れを取除き画質を回復させる。
【００１９】
カメラ内蔵ケース窓部５１の前面に位置する透明フィルム１２を両面から挟む摺動シートと、設けた摺動シート２７はカメラ内蔵ケース窓部５１の前面の監視窓部を遮蔽しないようにくり貫いた形状である。摺動シート２７はカメラ内蔵ケース窓部５１の気密性と動作時における透明フィルム１２の摺動を円滑にする。送り出す側のフィルムカートリッジ１１と、摺動シート２７と、透明フィルム１２と、巻き取る側のフィルムカートリッジ１１を保護カバーするフィルムカバー１０とを設ける。フイルムカバー１０はカメラ内蔵ケース窓部５１の監視窓部前面に位置する透明フィルム１２を遮蔽しないようにくり貫いた形状として設ける。送り出す側のフィルムカートリッジ１１の透明フィルム１２が終了すると着脱自在のフィルムカバー１０を外しフィルムカートリッジ１１へ交換用の透明フィルム１２を装填する。
【００２０】
図２は、本発明の監視カメラ用窓部汚れ防止装置の断面図である。
監視カメラあるいは、防犯カメラ等の監視窓部の汚れを透明フィルムによって防止するユニット式の監視カメラ用窓部汚れ防止装置であって、前記監視カメラ用窓部汚れ防止装置９０は、監視窓部の汚れ対策のない多機種の監視カメラあるいは、防犯カメラ等に前面から取付けできるように、取付け面となる後部は出っ張りのない外形として、汚れ防止フイルム部３０と、モータ駆動部２０を設けた構成である。汚れ防止フイルム部３０は、メインフレーム１と固着する取付けベース３１と、取付けベース３１はカメラ内蔵ケース５０に取付ける取付け支柱３２と、駆動軸を支えるように上段と下段に設けた軸受ガイド２８と、駆動軸２５に巻き上げられる透明フィルム１２と、カメラ内蔵ケース窓部５１の前面の監視窓部を遮蔽しないようくり貫いた形状の保護カバーとなるフイルムカバー１０を設けた。また、モータ駆動部２０は設けたモータ２３と、このモータ２３を制御する制御部２２と、モータ２３の軸と駆動軸２５の継手であるカップリング２４と、カップリング２４を通してモータ２３軸と駆動軸２５は継手され設ける。制御部２２と接続した外部引込用のコネクタ２１を設けた構成である。防水と耐温度は充分に施されている。また、モータ駆動部２０を無線あるいは有線で遠隔操作できる無線遠隔操作部４１あるいは、有線遠隔操作部４２とを設けた。
【００２１】
図３は、本発明の監視カメラ用窓部汚れ防止装置の斜視図である。
前記で説明した本発明の第１の実施の形態の斜視図である同一構成部分には、同一の符号を付して重複する説明を省略する。
監視カメラあるいは、防犯カメラ等の監視窓部の汚れを防止するユニット式の監視カメラ用窓部汚れ防止装置であって、前記監視カメラ用窓部汚れ防止装置９０をカメラ内蔵ケース５０を有する監視窓部の前面に取付けて使用する。
汚れ防止フイルム部３０を保護する着脱自在のフィルムカバー１０を用いてある。使用される監視カメラあるいは、防犯カメラ等の監視窓部のカメラ内蔵ケース窓部５１は、汚れ防止フイルム部３０に設けた透明フイルム１２で覆われているので汚れは透明フィルム１２に付着する。該透明フィルム１２に汚れが付着すると映像画質が低下する。映像画質の低下をキャッチすると映像画質を改善するため透明フィルム１２をコマ送りすることになる。コマ送りの命令操作を制御部２２にするとモータ駆動部２０は、モータ２３を駆動して駆動軸２５を回転させ汚れた透明フィルム１２を１コマ送って汚れのない透明フィルム１２とする。透明フィルム１２は、カメラ内蔵ケース窓部５１の監視窓部前面を１画面として１画面を１コマとして複数コマ分を装填して設けた。透明フィルム１２の終了する数コマ前に警告を示す記号あるいは文字や画を記載するように設けた。
【００２２】
図４は、図３のフィルムカバーを外した汚れ防止フイルム部の斜視図である。監視カメラあるいは、防犯カメラ等の監視窓部の汚れを防止するユニット式の監視カメラ用窓部汚れ防止装置であって、前記監視カメラ用窓部汚れ防止装置９０のフィルムカバー１０を外した汚れ防止フィルム部３０の斜視図である。透明フィルム１２を交換補充する場合は、着脱自在のフィルムカバー１０を外し、送り出す側のフィルムカートリッジ１１の自由軸２６に透明フィルム１２を装填して、送り出す側の透明フィルム１２の先端を巻き取り側のフィルムカートリッジ１１の駆動軸２２へ固定する。透明フィルム１２の終了する数コマ前にフィルムカートリッジ１１交換用の警告を示す記号あるいは文字や画を記載する。または、音声で警告してもよい。外したフィルムカバー１０を嵌め使用する。
【００２３】
透明フィルム１２の材質は、塩ビ（ＰＶＣ）、ポリカポネート（ＰＣ）、ポリプロピレン（ＰＰ）、ポリエチレン（ＰＥ）、ポリエチレンテレフタレート（ＰＥＴ）、アクリル（ＰＭＭＡ）等を用いてよい。
【００２４】
【発明の異なる実施の形態】
本発明の異なる実施の形態につき説明する。なお、これらの本発明の異なる第２の実施の形態及び第３の実施の説明に当たって、前記本発明の第１の実施の形態と同一構成部分には同一の符号を付して重複する説明を省略する。本発明の第２の実施の形態では図示せず。本発明の第３の実施の形態を図５ないし図９に示す。
【００２５】
本発明の第２の実施の形態（図示せず）において、前記本発明の第１の実施の形態と主に異なる点は、監視カメラ用窓部汚れ防止装置９０に設けた汚れ防止フィルム部３０において、透明フィルム１２の交換を簡単にする交換用として、アルミニウムあるいはプラスチックで形成したフィルムカートリッジ１１０を設けた。フィルムカートリッジ１１０は、送り出す側の透明フィルム１２を装填する筒を設け筒の上段と下段に自由軸２６０と、巻き上げ側の透明フィルム１２の巻きはじめを固定する筒を設け筒の上段に駆動軸２５３と、筒の下段に駆動軸２５４とを設けた。フィルムカートリッジ１１０の上下段の自由軸２６０と、上段の駆動軸２５３と、下段の駆動軸２５４とを嵌合挿脱できる嵌合挿脱孔を設けた。上下段の自由軸２６０用として上下段に嵌合挿脱孔２６１と、上段の駆動軸２５３用として上段に嵌合挿脱孔２５２と、下段の駆動軸２５４用として下段に嵌合挿脱孔２５１とを設けた。下段の駆動軸２５４は、駆動軸２５０と嵌合して回転を伝達する。駆動軸２５０は、モータ軸とカップリング２４して設けた。
【００２６】
図５ないし図９の本発明の第３の実施の形態において、前記本発明の第１の実施の形態と同一構成部分には同一の符号を付して重複する説明を省略する。
【００２７】
図５は、本発明の第３の実施の形態の監視カメラ用窓部汚れ防止装置の平面図である。図６は、図５の監視カメラ用窓部汚れ防止装置の断面図である。図７は、図６の監視カメラ用窓部汚れ防止装置の斜視図である。図８は、図７の保護扉を開いた斜視図である。図９は、図８のフィルムカートリッジを装着する斜視図である。
図５と図６で、監視カメラ用窓部汚れ防止装置の平面図と断面図を説明する。前記本発明の第１の実施の形態と主に異なる点は、監視カメラ用窓部汚れ防止装置９０に設けた汚れ防止フィルム部３０において、カメラ内蔵ケース５０に取付け固着できる取付けベース３１をメインフレーム１に設けた。該取付けベース３１は、パッキン３３と、複数の取付け支柱３２と、カメラ内蔵ケース５０に密着する外形構造とを設けた。取付けベース３１は、取付け支柱３２を用いてカメラ内蔵ケース５０に固着することで取付けベース３１と、カメラ内蔵ケース５０は、外部の空気を遮断して密閉状態となる。それは監視カメラ用窓部汚れ防止装置９０の汚れ防止フィルム部３０をカメラ内蔵ケース５０に固着させて外部の空気を遮断して密閉状態とすることである。また、カメラ内蔵ケース窓部５１の前面をスライドする透明フィルム１２のテンションを和らげるためフィルム押え軸１３を保護扉１７０の内側左右に設けた。
【００２８】
前記監視カメラ用窓部汚れ防止装置９０の汚れ防止フィルム部３０は、カメラ内蔵ケース窓部５１の監視窓部前面に沿って覆ってスライドする形状にした汚れを防止する透明フィルム１２と、該透明フィルム１２を両面から挟み動作時に気密性と摺動性を円滑にする摺動シート２７と、装填した透明フィルム１２を送り出す側の自由軸２７１と、透明フィルム１２を巻き上げる側の駆動軸２５５と、駆動軸２５５は、モータ軸とカップリング２４して設けた。
【００２９】
また、前記本発明の第１の実施の形態と主に異なる点は、監視カメラ用窓部汚れ防止装置９０に設けた汚れ防止フィルム部３０において、フィルムカートリッジ１２０の駆動構造と、透明フィルム１２を装填したフィルムカートリッジ１２０の構造と、フィルムカートリッジ１２０の装着方法とである。
【００３０】
汚れ防止フィルム部３０において、フィルムカートリッジ１２０の駆動構造は、透明フィルム１２を送り出す側の中空の筒を挿入保持できる棒柱の形状をした自由軸２７１をメインフレーム１に固着して設けた（軸受けガイド２８は設けない）。一方の透明フィルム１２を巻き上げる側の駆動軸２５５は、透明フィルム１２を巻き上げる側の中空の筒を挿入保持できてローレットつまみ２５６を螺合する棒柱の形状をした駆動軸２５５をモータ２３とカップリング２４して設けた。
【００３１】
汚れ防止フィルム部３０に用いる透明フィルム１２のフィルムカートリッジ１２０の構造を説明する。
透明フィルム１２を送り出す側のフィルムカートリッジ１２０は、自由軸２７１に挿入できるよう中空の筒を設け、自由軸２７１の中空の筒に汚れのない透明フィルム１２を巻き取って設け、一方の巻き上げる側のフィルムカートリッジ１２０は、駆動軸２５５に挿入できる中空の筒を設け、駆動軸２５５の中空の筒に送り出す側の透明フィルム１２の先端を固定して設けた。
【００３２】
図７は、第３の実施の形態の監視カメラ用窓部汚れ防止装置の斜視図である。
前記で説明した第３の実施の形態である同一構成部分には、同一の符号を付して重複する説明を省略する。
監視カメラあるいは、防犯カメラ等の監視窓部の汚れを防止するユニット式の監視カメラ用窓部汚れ防止装置であって、前記監視カメラ用窓部汚れ防止装置９０をカメラ内蔵ケース５０を有する監視窓部の前面に取付けて使用する状態の斜視図である。
汚れ防止フイルム部３０を保護する開閉自在の保護扉１７０を設けた。保護扉１７０は、開閉自在とする蝶番１１１と、閉めた保護扉１７０を固定する止め金とを設けた。使用される監視カメラあるいは、防犯カメラ等の監視窓部のカメラ内蔵ケース窓部５１は、汚れ防止フイルム部３０に設けた透明フイルム１２で覆われスライドする。該透明フィルム１２に汚れが付着すると映像画質が低下する。映像画質の低下をキャッチすると映像画質を改善するため透明フィルム１２をコマ送りすることになる。コマ送りの命令操作を制御部２２にするとモータ駆動部２０は、モータ２３を駆動して駆動軸２５５を回転させ汚れた透明フィルム１２をコマ送りして汚れのない透明フィルム１２とする。
【００３３】
図８は、図７の保護扉を開いた汚れ防止フイルム部の斜視図である。
監視カメラあるいは、防犯カメラ等の監視窓部の汚れを防止するユニット式の監視カメラ用窓部汚れ防止装置であって、前記監視カメラ用窓部汚れ防止装置９０の保護扉１７０を開いた汚れ防止フィルム部３０の斜視図である。
カメラ内蔵ケース窓部５１の前面をスライドする透明フィルム１２のテンションを和らげるためフィルム押え軸１３を保護扉１７０の内側左右に設けた。透明フィルム１２を巻き上げる側の中空の筒を挿入保持できるローレットつまみ２５６を螺合する棒柱の形状をした駆動軸２５５をモータ２３とカップリング２４して設けた。１１１は蝶番、２０はモータ駆動部、２７は摺動シート１０１はフィルムカバー、３２は取付け支柱である。
【００３４】
図９は図８の汚れ防止フィルム部へフィルムカートリッジを装着する方法を示した斜視図である。
保護扉１１０を開いて、汚れ防止フィルム部３０の上側より透明フィルム１２を装填したフィルムカートリッジ１２０を駆動軸２５５と、自由軸２７１とに装着する。駆動軸２５５にフィルムカートリッジ１２０を装着してローレットつまみ２５６を螺合する。透明フィルム１２の表面が汚れると、制御部２２を操作して駆動軸２５５を回転させ定量的に汚れた透明フィイルム１２を巻き上ることで監視面窓部であるカメラ内蔵ケース窓部５１前面の汚れを取除き画質を回復させる。
【００３５】
【発明の効果】
本発明は、以上説明したような形態で実施され、以下に記載されるような効果を奏する。
【００３６】
多機種の監視カメラあるいは、防犯カメラ等の監視窓部の汚れを防止するユニット式の監視カメラ用汚れ防止装置として設けたので、監視カメラあるいは、防犯カメラ等の監視窓部の汚れを除去するために場所を問わず高所であっても費用を掛けないで除去できる。設置された場所による交通規制までも行う必要がない。
監視窓部の汚れを除去できる装置をユニット式とすることで監視窓部の汚れを除去する装置のない監視カメラあるいは、防犯カメラ等に後から取り付けられる。
汚れ除去の操作はモータ駆動であり取扱は簡単である。モータ駆動部を無線あるいは有線で遠隔操作できる無線遠隔操作部あるいは、有線遠隔操作部を設けたので遠地から遠隔操作で監視窓部の汚れを除去できる。汚れを除去するフィルム部分をカートリッジ式とすることでメンテナンスを簡単にできる。外部使用されることを想定して防水と耐温等を施されている経済的な監視カメラ用汚れ防止装置を提供できる。
【図面の簡単な説明】
【図１】本発明の第１の実施の形態の監視カメラ用窓部汚れ防止装置の平面図である。
【図２】図１の監視カメラ用窓部汚れ防止装置の断面図である。
【図３】図２の監視カメラ用窓部汚れ防止装置の斜視図である。
【図４】図３の保護扉を開いた汚れ防止フイルム部の斜視図である。
【図５】本発明の第３の実施の形態の監視カメラ用窓部汚れ防止装置の平面図である。
【図６】図５の監視カメラ用窓部汚れ防止装置の断面図である。
【図７】図６の監視カメラ用窓部汚れ防止装置の斜視図である。
【図８】図７の保護扉を開いた汚れ防止フイルム部の斜視図である。
【図９】図８のフィルムカートリッジを装着する斜視図である。
【符号の説明】
１  メインフレーム
１０  フィルムカバー
１１  フィルムカートリッジ
１２  透明フィルム
１３  フィルム押え軸
２０  モータ駆動部
２１  コネクタ
２２  制御部
２３  モータ
２４  カップリング
２５  駆動軸
２６  自由軸
２７  摺動シート
２８  軸受けガイド
３０  汚れ防止フィルム部
３１  取付けベース
３２  取付け支柱
３３  パッキン
４１  無線遠隔操作部
４２  有線遠隔操作部
５０  カメラ内蔵ケース
５１  カメラ内蔵ケース窓部
９０  監視カメラ用窓部汚れ防止装置
１０１  フィルムカバー
１１０  フィルムカートリッジ
１１１  蝶番
１２０  フィルムカートリッジ
１７０  保護扉
２５０  駆動軸
２５１  嵌合挿脱孔
２５２  嵌合挿脱孔
２５３  駆動軸
２５４  駆動軸
２５５  駆動軸
２５６  ローレットつまみ
２６０  自由軸
２６１  嵌合挿脱孔
２７１  自由軸
【図１】
2005012737.tif 000003
【図２】
2005012737.tif 000004
【図３】
2005012737.tif 000005
【図４】
2005012737.tif 000006
【図５】
2005012737.tif 000007
【図６】
2005012737.tif 000008
【図７】
2005012737.tif 000009
【図８】
2005012737.tif 000010
【図９】
2005012737.tif 000011